(57)【特許請求の範囲】
【請求項１】
船縁に固定して用いられる竿掛け装置であって、クランプ部を有して船縁に固定される固定部と、固定部の先端側に連設され釣竿基部の先端側を載置して位置決めする竿受部と、固定部の後端側に連設され釣竿基部の後端部を保持する竿保持部と、固定部の上面あるいは左右側面に設けられ保持された釣竿のリール部を載置する水平保持部材とから構成され、前記水平保持部材は、前記固定部と着脱自在に立設された足部と、足部上端に備えた水平板と、水平板の上部に設けられた緩衝部とからなることを特徴とする竿掛け装置。
【請求項２】
前記水平保持部材の足部は、固定ネジにより前記固定部に着脱自在に立設され、前記固定ネジは前記固定部と前記クランプ部の固定も同時に兼ねていることを特徴とする請求項１記載の竿掛け装置。
【発明の詳細な説明】
【技術分野】
【０００１】
本発明は、船釣りをする時に、船縁に釣竿を保持する竿掛け装置で、釣り竿の保持、取り外しの操作がしやすく、確実に保持できる竿掛け装置に関し、特にリール部を載置する水平保持部材を備えて釣竿の回転を防いで安定させる竿掛け装置に関する。
【背景技術】
【０００２】
従来、船釣用の竿掛け装置は種々の提案がなされており、例えば特開２００２−３００８３６号公報に示されるものがある。
【０００３】
しかしながらこの船釣り用竿掛け装置は、釣竿のリール部を載置する水平保持部材を備えていない為、取り外しの操作がしやすい反面、船が揺れた時にリールの位置が竿の周方向に回転し、リール位置が本来操作する為の位置とは異なった位置に回転してしまい、そのままでは巻取操作ができなくなる問題があった。
【０００４】
以上の理由から市販されている従来の竿掛け装置に低コストの部品を追加することにより、竿の安定化を図る機能が付加されることが望まれていた。
【０００５】
【特許文献１】特開２００２−３００８３６号公報（第２頁、第１図）
【発明の開示】
【発明が解決しようとする課題】
【０００６】
本発明は、前記問題に鑑みてなされたもので、リールの回転を防止し、安定的に載置する水平保持部材を備えた竿掛け装置の提供を課題とする。
【課題を解決するための手段】
【０００７】
前記課題を解決するため、本竿掛け装置は、船縁に固定して用いられる竿掛け装置であって、クランプ部を有して船縁に固定される固定部と、固定部の先端側に連設され釣竿基部の先端側を載置して位置決めする竿受部と、固定部の後端側に連設され釣竿基部の後端部を保持する竿保持部と、固定部の左右両端に設けられ保持された釣竿のリール部を載置する水平保持部材とから構成され、前記水平保持部材は、前記固定部と着脱自在に立設された足部と、足部上端に備えた水平板と、水平板の上部に設けられた緩衝部とからなることを特徴とする。
【０００８】
前記水平保持部材の足部は、固定ネジにより前記固定部に着脱自在に立設され、前記固定ネジは前記固定部と前記クランプ部の固定も同時に兼ねていることを特徴とする。
【発明の効果】
【０００９】
本発明の竿掛け装置によれば、釣竿のリール部が水平保持部材に保持されるためリールが回転せず安定的に支持され、常にリールの巻取り操作が支障なく行える竿掛け装置とすることができる。
【発明を実施するための最良の形態】
【００１０】
以下、図面を参照して本発明の竿掛け装置の実施の形態を詳細に説明する。図１は本発明の竿掛け装置の一実施形態の斜視図、図２は図１の側面図で船縁に固定された状態を示す。図３は図２のＡ―Ａ線断面図、図４は図１の竿保持部の背面図である。
【００１１】
本発明の竿掛け装置１０は、固定部１１と、固定部１１の下部に取り付けられ固定部１１を船縁５０（図２参照）に締着させるクランプ部３０とから構成され、固定部１１には、その先端側に連設され、釣竿４０の基部の先端側を載置して位置決めする竿受け部１２と、固定部１１の後端側に連設され釣竿４０の基部の後端を保持する竿保持部１３とを備えている。
【００１２】
また固定部１１の左右両端には、釣竿４０に取付けたリール４１を載置する水平保持部材２０がボルト２４ａで着脱自在に立設され、前記水平保持部材２０は、前記固定部１１とボルト２４ａで着脱自在に立設される足部２０ａと、足部２０ａ上部に備えた水平板２０ｂと、水平板の上部に貼着され発泡部材により形成された緩衝部２０ｃとから構成されている。
【００１３】
固定部１１とクランプ部３０は金属ダイキャスト又は強化プラスチック材で形成されており、固定部１１は、長手方向に左固定部１１ａ，右固定部１１ｂ、に２分割され、ボルト２４ａ，ナット２４ｂ（図３参照）、及び連結ボルト３５ａ、ナット３５ｂ（図４参照）にて一体に結合されている。連結ボルト３５ａはハンドル３５ｃを回転させて容易に締め付けたり緩めたりすることができる。
【００１４】
固定部１１の竿保持部１３側には、底部が略Ｕ字状で一体的に突設された４本の柱部１５ａ、１５ｂ、１５ｃ、１５ｄと、この柱部のそれぞれ左右の上部に固定された二本の支持軸１６ａ，１６ｂと、この二本の支持軸１６ａ，１６ｂのそれぞれに回転可能に支持され、相互に内方に向けて付勢された２個のロックレバー１７，１８を備える。
【００１５】
ロックレバー１７，１８の上部傾斜面１７ａ，１８ａに釣竿４０の基部の後端部を上方向から竿保持部１３に向けて押圧すると、ロックレバー１７，１８が回転して開き、釣竿４０の基部の後端部が竿保持部１３に押し込まれると、二本の支持軸１６ａ，１６ｂ部に備えられたバネ（図示せず）によりロックレバー１７，１８が元の位置に戻り釣竿４０の基部の後端部の上面がロックレバー下面に押さえられてロック状態になり、釣竿４０を竿掛け装置１０に容易に装着することができる。
【００１６】
図２に示すように、クランプ部３０はコ字状の台座３０ａと、この台座３０ａの一方の水平辺３０ｂに螺合され先端にクランプ辺３０ｅを回転可能に支持したクランプねじ３０ｄとから構成され、クランプ辺３０ｅと他方の水平辺３０ｃとの間に、釣り舟の船縁５０に挟持される。クランプねじ３０ｄはハンドル３０ｆにて容易に回転させることができる。
【００１７】
３０ｇは固定ネジ２６用取付穴で、固定部１１はワッシャ２７を介して固定ネジ２６にてクランプ部３０に固定される。
【００１８】
以下本発明の竿掛け装置の動作について説明する。竿掛け装置１０はクランプ部３０により釣り舟の船縁５０に固定される。（図２参照）
【００１９】
すなわち、クランプネジ３０ｄをゆるめてクランプ辺３０ｅと他方の水平辺３０ｃとの間に船縁５０を挟み、クランプねじ３０ｄを締めて船縁を挟持する事により竿掛け装置１０を船縁５０に固定する。
【００２０】
リール４１を装着した釣竿４０を、釣竿４０の基部の先端側を竿受け部１２に、釣竿４０の基部の後端を竿保持部１３にそれぞれ固定部１１の上側より下に押し込むようにして装着する。
【００２１】
その際釣竿４０の基部の後端がロックレバー１７、１８、の傾斜面１７ａ、１８ａ、に接触し、ロックレバー１７、１８、を押し開き、釣竿４０の基部の後端がロックレバーの下部にある竿保持部１３に装着されると、ほぼ同時にロックレバー１７、１８、が支持軸１６ａ，１６ｂ部に備えたバネ（図示せず）により元の状態に閉じ、釣竿４０の基部の後端が確実に保持される。
【００２２】
この時リール４１の下面が水平保持部材２０の緩衝部２０ｃに載せられることによりリール４１の回動を防止する。
【００２３】
すなわち、水平保持部材２０により、リール４１が載置されているため釣竿４０及びリール４１の回動による巻取り操作の不具合が防止される。
【００２４】
なお釣竿４０の太さ、リール４１の大きさ、形状などによりリール４１の下面と水平保持部材２０の緩衝部２０ｃとの間の寸法調整が可能となるよう、足部２０ａの取り付け穴は長穴としても良い。
【００２５】
次に、本発明の別の実施形態について説明する。
図５は本発明の別の実施形態の側面図で船縁に固定された状態を示し、図６は図５の竿保持部の斜視図を示す。
【００２６】
図５〜図６に示した竿掛け装置と上述した図１〜図４に示した竿掛け装置との相違点は、水平保持部２０、２１の構成および形状のみでありその他の構成部については、同様の構成となる。以下、上述した竿掛け装置との相違点について説明する。
【００２７】
水平保持部２１は支持部２１ａと、支持部２１ａの上端部に連設された水平板２１ｂと、水平板２１ｂの上部に設けられた緩衝部２１ｃと、支持部２１ａの下端部に連設された取付部２１ｄとから構成されており、取付部２１ｄには取付穴２１ｅが配設されている。取付部２１ｄは固定部１１とクランプ部３０とを固定している固定ネジ２６により、取付穴２１ｅを介して固定部１１に固定されている。
【００２８】
これにより、リール４１を付けた釣竿４０を本竿掛け装置に装着した時リール４１の下面が水平保持部材２１の緩衝部２１ｃに載せられることによりリール４１の回動を防止することができる。
【００２９】
すなわち、水平保持部材２１により、リール４１が載置されているため釣竿４０及びリール４１の回動による巻取り操作の不具合が防止される。
【００３０】
以上の、実施の形態は、市販されている竿掛け装置に、部品を追加或いは交換部品に替えることにより実施可能な形態を説明した。勿論、この実施の形態と異なる竿掛け装置に、本発明の水平保持部或はクランプ部を適用することも本発明の技術的思想の範囲である。
【図面の簡単な説明】
【００３１】
【図１】本発明の竿掛け装置の一実施形態の斜視図である。
【図２】図１の側面図で船縁に固定された状態を示す。
【図３】図１のＡ−Ａ線断面図である。
【図４】図１の竿保持部の背面図である。
【図５】本発明の別の実施形態の側面図で船縁に固定された状態を示す
【図６】図５の竿保持部の斜視図を示す。
【符号の説明】
【００３２】
１０、１００  竿掛け装置
１１  固定部
１１ａ  左固定部
１１ｂ  右固定部
１２  竿受け部
１３  竿保持部
１５ａ、１５ｂ、１５ｃ、１５ｄ  柱部
１６ａ、１６ｂ  支持軸
１７、１８  ロックレバー
１７ａ、１８ａ  傾斜面
２０  水平保持部材
２０ａ  足部
２０ｂ  水平板
２０ｃ  緩衝部
２１  水平保持部材
２１ａ  支持部
２１ｂ  水平板
２１ｃ  緩衝部
２１ｄ  取付部
２１ｅ  取付穴
２３ａ、２４ａ  ボルト
２３ｂ、２４ｂ  ナット
２６  固定ネジ
２７  ワッシャ
３０  クランプ部
３０ａ  台座
３０ｂ  水平辺
３０ｃ  他方の水平辺
３０ｄ  クランプネジ
３０ｅ  クランプ辺
３０ｆ  ハンドル
３０ｇ  取付穴
３５ａ  連結ボルト
３５ｂ  ナット
３５ｃ  ハンドル
４０  釣竿
４１  リール
５０  船縁
【図１】
0004512854.tif 000002
【図２】
0004512854.tif 000003
【図３】
0004512854.tif 000004
【図４】
0004512854.tif 000005
【図５】
0004512854.tif 000006
【図６】
0004512854.tif 000007